(57)【要約】      （修正有）【課題】自転車に取り付けて警告効果を提供する自転車ライトを提供する。【解決手段】本考案の自転車ライト１０は、基板２０と、ガイドプレート４０と、反射シール３０とを有し、該基板は、表面の少なくとも一側に複数のＬＥＤ２１が取り付けられ、該各ＬＥＤの発光面が表面の反対する側に向かい、該ガイドプレートは、該基板の表面に設置され、それらのＬＥＤの発光面２１１の間に設置され、所定の厚さを備え、該基板と隣接する側に少なくとも１つの光案内構造４１が形成され、該ＬＥＤからの光を案内して外側へ射出させ、該反射シールは、該基板とガイドプレートとの間に設置され、それらのＬＥＤからの光を反射することができるものである。【選択図】図１
0003192923.tif 000002
【実用新案登録請求の範囲】
【請求項１】
表面の少なくとも一側に複数のＬＥＤが取り付けられ、該各ＬＥＤの発光面が相対する側に向かう基板と、
前記基板の表面に設置され、それらのＬＥＤの発光面の間に設置され、所定の厚さを備え、該基板と隣接する側に少なくとも１つの光案内構造が形成され、該ＬＥＤからの光を案内して外側へ射出させるガイドプレートと、
前記基板とガイドプレートとの間に設置され、それらのＬＥＤからの光を反射する反射シールとを有することを特徴とする自転車ライト。
【請求項２】
前記ガイドプレートは、反射シールと隣接する側に第一面が形成され、反射シールと反対する側に第二面が形成され、該第一面に前記光案内構造が形成され、該光案内構造に複数の凹部が形成され、それらの凹部がガイドプレートの第一面から第二面へ凹設されることを特徴とする請求項１に記載の自転車ライト。
【請求項３】
前記光案内構造が少なくとも１つの文字またはパターンを構成することを特徴とする請求項２に記載の自転車ライト。
【請求項４】
前記ガイドプレートは、反射シールと隣接する側に第一面が形成され、反射シールと反対する側に第二面が形成され、該第一面に前記光案内構造が形成され、該光案内構造に複数の凸部が形成され、それらの凸部がガイドプレートの第一面から反射シールへ凸設されることを特徴とする請求項１に記載の自転車ライト。
【請求項５】
前記光案内構造が少なくとも１つの文字またはパターンを構成することを特徴とする請求項４に記載の自転車ライト。
【請求項６】
前記基板が四辺形を呈し、
前記複数のＬＥＤはそれぞれ、基板の相対する両側に配置されると共に、該各ＬＥＤの発光面が相対する側に向かうことを特徴とする請求項１乃至５の何れか１項に記載の自転車ライト。
【請求項７】
前記複数のＬＥＤがそれぞれ間隔をおいて基板の相対する両側に配置されることを特徴とする請求項６に記載の自転車ライト。
【請求項８】
前記基板が円形を呈し、
前記複数のＬＥＤはそれぞれ、基板の周縁に配置されることを特徴とする請求項１乃至５の何れか１項に記載の自転車ライト。
【請求項９】
前記基板が五辺形を呈し、
前記複数のＬＥＤはそれぞれ、基板の相対する両側または両側以上に配置されることを特徴とする請求項１乃至５の何れか１項に記載の自転車ライト。
【請求項１０】
前記基板、反射シール、ガイドプレートは、可撓性を備え、Ｓ字形またはＣ字形またはＵ字形に湾曲することができることを特徴とする請求項１乃至９の何れか１項に記載の自転車ライト。
【請求項１１】
前記反射シールがコーティング手段により基板の表面に設置されることを特徴とする請求項１乃至７または１０の何れか１項に記載の自転車ライト。
【請求項１２】
前記反射シールがコーティング手段によりガイドプレートにおける基板側の内面に設置されることを特徴とする請求項１乃至７または１０の何れか１項に記載の自転車ライト。
【考案の詳細な説明】
【技術分野】
【０００１】
本考案は、自転車に取り付けて警告効果を提供する自転車ライトに関するものである。
【背景技術】
【０００２】
ＬＥＤライトは、発光ダイオードからなり、電力を節約することができるので、生活中によく使われ、特に自転車灯具によく使用されている。
既存のＬＥＤライトは、発光ダイオードの特性によって、光の射出した幅が狭くて強度が高いと共に、光の集中効果を備えるが、光が強すぎて目に眩しくて、光射出角度が狭くて（１２０度より広くならない）光を均一にならない。したがって、既存のＬＥＤライトは、光射出角度を広くさせるために、複数の発光ダイオードを環状に配列すると共に、ライトの外部に透明なかさを取り付けて光射出角度を広くさせる。さらに、そのＬＥＤライトのかさに複数の透明な粒状構造が凸設されても、発光ダイオードからの光を反射したり、屈折したりして光射出角度を広くさせることができる。
【考案の概要】
【考案が解決しようとする課題】
【０００３】
しかしながら、既存のＬＥＤライトは、複数の発光ダイオードを環状に配列することによって、光射出角度を広くすることができるが、それらの発光ダイオードが間隔をおいて配列しなければならないので、光を分散して光強度が弱くなるという欠点があった。また、ＬＥＤライトのかさに透明な粒状構造が凸設されてもライトの光射出範囲を広くすることができるが、そのかさの構成が複雑で製造上に困難であった。
【課題を解決するための手段】
【０００４】
本考案に係る自転車ライトは、
表面の少なくとも一側に複数のＬＥＤが取り付けられ、該各ＬＥＤの発光面が相対する側に向かう基板と、
前記基板の表面に設置され、それらのＬＥＤの発光面の間に設置され、所定の厚さを備え、該基板と隣接する側に少なくとも１つの光案内構造が形成され、該ＬＥＤからの光を案内して外側へ射出させるガイドプレートと、
前記基板とガイドプレートとの間に設置され、それらのＬＥＤからの光を反射する反射シールとを有するものである。
【０００５】
かかる自転車ライトにおいて、前記ガイドプレートは、反射シールと隣接する側に第一面が形成され、反射シールと反対する側に第二面が形成され、該第一面に前記光案内構造が形成され、該光案内構造に複数の凹部が形成され、それらの凹部がガイドプレートの第一面から第二面へ凹設されることが好ましい。
【０００６】
かかる自転車ライトにおいて、前記光案内構造が少なくとも１つの文字またはパターンを構成することが好ましい。
【０００７】
かかる自転車ライトにおいて、前記ガイドプレートは、反射シールと隣接する側に第一面が形成され、反射シールと反対する側に第二面が形成され、該第一面に前記光案内構造が形成され、該光案内構造に複数の凸部が形成され、それらの凸部がガイドプレートの第一面から反射シールへ凸設されることが好ましい。
【０００８】
かかる自転車ライトにおいて、前記光案内構造が少なくとも１つの文字またはパターンを構成することが好ましい。
【０００９】
かかる自転車ライトにおいて、前記基板が四辺形を呈し、
前記複数のＬＥＤはそれぞれ、基板の相対する両側に配置されると共に、該各ＬＥＤの発光面が相対する側に向かうことが好ましい。
【００１０】
かかる自転車ライトにおいて、前記複数のＬＥＤがそれぞれ間隔をおいて基板の相対する両側に配置されることが好ましい。
【００１１】
かかる自転車ライトにおいて、前記基板が円形を呈し、
前記複数のＬＥＤはそれぞれ、基板の周縁に配置されることが好ましい。
【００１２】
かかる自転車ライトにおいて、前記基板が五辺形を呈し、
前記複数のＬＥＤはそれぞれ、基板の相対する両側または両側以上に配置されることが好ましい。
【００１３】
かかる自転車ライトにおいて、前記基板、反射シール、ガイドプレートは、可撓性を備え、Ｓ字形またはＣ字形またはＵ字形に湾曲してもよい。
【００１４】
かかる自転車ライトにおいて、前記反射シールがコーティング手段により基板の表面に設置されることが好ましい。
【００１５】
かかる自転車ライトにおいて、前記反射シールがコーティング手段によりガイドプレートにおける基板側の内面に設置されることが好ましい。
【考案の効果】
【００１６】
本考案に係る自転車ライトは、基板に反射シール及びガイドプレートが設置されると共に、その基板上のＬＥＤが所定の厚さを備えるガイドプレートに向かうように光を射出して、ガイドプレート内の光案内構造により光を反射したり屈折したりしてガイドプレートの外側へ射出することができる。
また、基板上の複数のＬＥＤがガイドプレートの周辺に設置されることから、それらのＬＥＤからの光がガイドプレートを通ると、ガイドプレートの光案内構造により光が面光源となり、発光の範囲が広くすると共に、光の強度が均一になって目に眩しくならない。
一方、本考案に係る自転車ライトにおける構造が簡単であり、生産コストを節約することもできる。
【図面の簡単な説明】
【００１７】
【図１】本考案に係る自転車ライトの第一実施例の分解斜視図である。
【図２】本考案に係る自転車ライトの第一実施例において、Ｃ字形に湾曲状態を示す斜視図である。
【図３】図２の分解斜視図である。
【図４】図２の側面視部分拡大断面図である。
【図５】本考案に係る自転車ライトの第二実施例の部分分解斜視図である。
【図６】本考案に係る自転車ライトの第二実施例の斜視図である。
【図７】本考案に係る自転車ライトの第二実施例において、パターンを示す斜視図である。
【図８】本考案に係る自転車ライトの第三実施例の部分分解斜視図である。
【考案を実施するための形態】
【００１８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１９】
図１乃至図３に示すように、本考案に係る自転車ライト１０の第一実施例は、基板２０と、反射シール３０と、ガイドプレート４０とを有し、その反射シール３０及びガイドプレート４０はそれぞれ、シール状を呈し、基板２０に貼り付けられる。
【００２０】
前記自転車ライト１０は、形状の制限がなく、如何なる形状にしてもよい。
前記基板２０、反射シール３０、ガイドプレート４０はそれぞれ、平坦状のシールであり、可撓性を備えるので、Ｓ字形やＣ字形、Ｕ字形などの形状に湾曲してもよい。
【００２１】
図１に示すように、前記基板２０は、矩形を呈し、表面の両側にそれぞれ複数のＬＥＤ（発光ダイオード）２１が取り付けられ、該基板２０によってＬＥＤ２１のオンまたはオフを制御すると共に、連続発光や、光色切替、間隔点滅などの発光モードも制御することができる。また、これらのＬＥＤ２１は、それぞれ間隔をおいて基板２０の両長手辺に配置されてもよく、それぞれ間隔をおいて基板２０の両短手辺に配置されてもよく、それぞれ間隔をおいて長手辺及び短手辺（即ち、Ｌ字形）に配置されてもよい。これらのＬＥＤ２１を配置する方法が制限されていない。
【００２２】
一方、これらのＬＥＤ２１がそれぞれ間隔をおいて両長手辺または両短手辺に設置される時に、それらのＬＥＤ２１は、互いに対応するように基板２０の両側に取り付けられてもよく、それぞれ交替するように基板２０の両側に取り付けられてもよく、射出した光を均一になればよい。
また、図２に示すように、第一実施例のＬＥＤ２１はそれぞれ、基板２０の上側縁部及び下側縁部に取り付けられ、光を射出する面に発光面２１１が形成され、該発光面２１１が基板２０の中央また相対する側に向かうように、ガイドプレート４０を発光させる。
【００２３】
その基板２０は、円形や、四辺形、五辺形などの如何なる形状にしてもよい。基板２０が円形を呈すれば、複数のＬＥＤ２１がそれぞれ間隔をおいて基板２０の周縁に配置される。基板２０が五辺形を呈すれば、複数のＬＥＤ２１がそれぞれ間隔をおいて基板２０の相対する両側（または三側、四側、五側）に配置される。なお、その基板２０が外部の電源モジュール（図面に示せず）に電気接続することによって、基板２０及びＬＥＤ２１に電力を提供する。
【００２４】
図１及び図２に示すように、前記反射シール３０は、長型の薄いシールであり、基板２０の表面に貼り付けられ、短手辺の長さが基板２０の上側縁部のＬＥＤ２１と下側縁部のＬＥＤ２１との距離より短くし、すなわち、上側縁部のＬＥＤ２１の発光面２１１と下側縁部のＬＥＤ２１の発光面２１１との間に設置される。該反射シール３０は、コーティング手段により基板２０の表面に設置されてもよく、ガイドプレート４０における基板２０側の内面に設置されてもよい。
【００２５】
前記ガイドプレート４０は、上側縁部のＬＥＤ２１の発光面２１１と下側縁部のＬＥＤ２１の発光面２１１との間に設置され、所定の厚さを備え、反射シール３０と隣接する側に第一面が形成され、反射シール３０と反対する側に第二面が形成される。該ガイドプレート４０における、第一面に光案内構造４１が形成され、該光案内構造４１に複数の凹部または凸部が形成される。
図４に示すように、本実施例における光案内構造４１は、複数の凹部からなり、それぞれ隣接するように配列され、ＬＥＤ２１からの光を案内して外側へ射出させる（光の反射したり屈折したりする）。
【００２６】
本考案の自転車ライト１０を使用する時、基板２０のＬＥＤ２１が光を射出してガイドプレート４０を通って、光案内構造４１の凹部により光を反射したり屈折したりしてガイドプレート４０の第二面から射出することができる。
【００２７】
第一実施例におけるガイドプレート４０の光案内構造４１は、反射シール３０と隣接する側に形成されると共に、文字またはパターンを構成するものである。例えば、図３に示すように、そのガイドプレート４０の光案内構造４１が五つの文字（Ｆ、Ｈ、Ｔ、Ｈ、Ｅ）から構成し、ＬＥＤ２１が光を射出して反射シール３０によってガイドプレート４０の外側から外部へ射出することができる。
【００２８】
一方、そのガイドプレート４０の光案内構造４１が凸部であれば、それらの凸部は、ガイドプレート４０の第一面から反射シール３０へ凸設されると共に、それぞれ隣接するように配列される。製造上、その反射シール３０がコーティング手段により形成すれば、まず、そのガイドプレート４０の第一面に光案内構造４１が形成され、そして、該第一面に反射シール３０をコーティングする。
【００２９】
上述した光案内構造４１は、複数の凹部または凸部が密接するように配列されると共に、文字やパターンなどの模様を構成できる。また、それらの凹部または凸部を有すれば、反射角度や、反射方向、光通量などの原因によって文字やパターンの発光効果が多様化になる。
【００３０】
本考案に係る自転車ライトは、基板２０のＬＥＤ２１の発光面２１１がガイドプレート４０の周縁に向かうので、該各ＬＥＤ２１から射出した光が光案内構造４１を通ってガイドプレート４０の外部へ射出すると共に、該各ＬＥＤ２１の基板２０に向かって射出した光が反射シール３０によって反射することができる。本考案に係る自転車ライトは、ガイドプレート４０に光案内構造４１が形成されると共に、複数のＬＥＤ２１がガイドプレート４０の周辺に設置されることから、それらのＬＥＤ２１からの光をガイドプレート４０を通ると、ガイドプレート４０の外側に面光源となり、発光の範囲が広くなると共に、光の強度が均一になって目に眩しくならない。
【００３１】
図５及び図６に示すように、本考案に係る自転車ライトの第二実施例における自転車ライト１０をサドル支柱または頭柱に装着する時、その自転車ライト１０が自転車の前方或いは後方に向かってファスナー６０により管体５０に貼り付けられ、該ファスナー６０は、フレーム６１及び２つのクリップ６２を備え、該フレーム６１は、Ｃ字形の断面を備える長型フレームであり、Ｃ字形の開口を介して管体５０の一側に組み合わせ、中央に掲示穴６１２が形成され、左右両側にそれぞれねじ穴６１１が形成され、なお、該掲示穴６１２は、ガイドプレート４０の光案内構造４１から構成した文字またはパターンの範囲より大きくする。該クリップ６２は、Ｕ字形の断面を備え、Ｕ字形の開口を介して管体５０の他側に取り付けてフレーム６１組み合わせ、両側にそれぞれねじ穴６１１と対応する貫通孔６２１が形成され、さらに、複数のボルト６２２がクリップ６２の貫通孔６２１を通過してフレーム６１のねじ穴６１１に螺合される。
【００３２】
図７に示すように、前記光案内構造４１から構成したパターンは動物であってもよく、使用者の需要に応じて如何なるパターンに変更してもよい。
【００３３】
図８に示すように、本考案に係る自転車ライトの第三実施例は、殆ど第一実施例と同一であるが、ＬＥＤ２１の外側にさらに反射シール７０が取り付けられ、該反射シール７０は、細長状を呈し、光案内構造４１の範囲より小さくする。該反射シール７０がＬＥＤ２１からの光をガイドプレート４０の光案内構造４１に向かうように案内する。
また、反射シール７０がガイドプレート４０の外面に取り付けられ、反射シール３０がガイドプレート４０の内側に取り付けられ、反射シール７０及び反射シール３０の縁部がそれぞれガイドプレート４０の周縁と一致するように設けられる。
複数のＬＥＤ２１からの光がガイドプレート４０の縁部からガイドプレート４０に射入すると、光が反射シール７０及び反射シール３０を介して反射したり屈折したりしてガイドプレート４０の外部へ射出することができ、ガイドプレート４０の発光強度を向上させる。
【符号の説明】
【００３４】
１０    自転車ライト
２０    基板
２１    ＬＥＤ
２１１  発光面
３０    反射シール
４０    ガイドプレート
４１    光案内構造
５０    管体
６０    ファスナー
６１    フレーム
６１１  ねじ
６１２  掲示穴
６２    クリップ
６２１  貫通孔
６２２  ボルト
７０    反射シール
【図１】
0003192923.tif 000003
【図２】
0003192923.tif 000004
【図３】
0003192923.tif 000005
【図４】
0003192923.tif 000006
【図５】
0003192923.tif 000007
【図６】
0003192923.tif 000008
【図７】
0003192923.tif 000009
【図８】
0003192923.tif 000010